(57)【要約】  本開示の実施例は、無線通信方法、装置及びネットワーク機器を開示する。１つの無線通信方法において、目標受信電力値を決定することと、前記目標受信電力値に基づいて、第１受信電力と第２受信電力との差が所定電力閾値よりも小さくなるように、第１送信電力及び／又は第２送信電力を制御することとを含む。１つの無線通信方法において、基準時間を決定することと、前記基準時間に基づいて、第１受信時間と第２受信時間との差が所定時間差よりも小さくなるように、第１送信時間及び／又は第２送信時間を制御することとを含む。
2021521733.tif 000002
【特許請求の範囲】
【請求項１】
中継ノードに応用される無線通信方法であって、
目標受信電力値を決定することと、
前記目標受信電力値に基づいて、第１受信電力と第２受信電力との差が所定電力閾値よりも小さくなるように、第１送信電力及び／又は第２送信電力を制御することとを含み、
ここで、前記第１送信電力は、前記中継ノードのドナー局から前記中継ノードに送信するバックホールダウンリンクｂａｃｋｈａｕｌ  ＤＬ信号の送信電力であり、
前記第２送信電力は、端末機器から前記中継ノードに送信するアクセスアップリンクａｃｃｅｓｓ  ＵＬ信号の送信電力であり、
前記第１受信電力は、前記ドナー局の前記ｂａｃｋｈａｕｌ  ＤＬ信号が前記中継ノードに到達するときの受信電力であり、
前記第２受信電力は、前記端末機器の前記ａｃｃｅｓｓ  ＵＬ信号が前記中継ノードに到達するときの受信電力である、無線通信方法。
【請求項２】
前記の前記目標受信電力値に基づいて、第１受信電力と第２受信電力との差が所定電力閾値よりも小さくなるように、第１送信電力及び／又は第２送信電力を制御することは、
前記第１受信電力と前記目標受信電力値との差が第１所定電力閾値よりも小さくなるように、前記第１送信電力を制御することと、
前記第２受信電力と前記目標受信電力値との差が第２所定電力閾値よりも小さくなるように、前記第２送信電力を制御することと、
の少なくとも１つを含む、請求項１に記載の方法。
【請求項３】
前記の目標受信電力値を決定することは、
前記第１受信電力を目標受信電力値に決定することを含み、
前記の前記目標受信電力値に基づいて、第１受信電力と第２受信電力との差が所定電力閾値よりも小さくなるように、第１送信電力及び／又は第２送信電力を制御することは、
前記第２受信電力と前記目標受信電力値との差が所定電力閾値よりも小さくなるように、前記第２送信電力を制御することを含む、請求項１に記載の方法。
【請求項４】
前記の目標受信電力値を決定することは、
前記第２受信電力を目標受信電力値に決定することを含み、
前記の前記目標受信電力値に基づいて、第１受信電力と第２受信電力との差が所定電力閾値よりも小さくなるように、第１送信電力及び／又は第２送信電力を制御することは、
前記第１受信電力と前記目標受信電力値との差が所定電力閾値よりも小さくなるように、前記第１送信電力を制御することを含む、請求項１に記載の方法。
【請求項５】
前記の第１送信電力を制御することは、
前記目標受信電力値を前記ドナー局に送信することを含み、
ここで、前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記ｂａｃｋｈａｕｌ  ＤＬ信号は、前記バックホールリンク上で伝送される、請求項２又は４に記載の方法。
【請求項６】
前記中継ノードと前記ドナー局との間のバックホールリンクの経路損失を測定することと、
前記経路損失を前記ドナー局に送信することとを更に含む、請求項５に記載の方法。
【請求項７】
前記経路損失は、前記ドナー局によって測定して得られる、請求項５に記載の方法。
【請求項８】
前記の第１送信電力を制御することは、
第１電力調整指令を前記ドナー局に送信することを含み、
ここで、前記第１電力調整指令は、第１受信電力と前記目標受信電力値との差が所定電力閾値よりも小さくなるように、前記第１送信電力の増加又は減少を前記ドナー局に指示するためのものである、請求項２又は４に記載の方法。
【請求項９】
前記の第２送信電力を制御することは、
第２電力調整指令を前記端末機器に送信することを含み、
ここで、前記第２電力調整指令は、第２受信電力と前記目標受信電力値との差が所定電力閾値よりも小さくなるように、前記第２送信電力の増加又は減少を前記端末機器に指示するためのものである、請求項２又は３に記載の方法。
【請求項１０】
前記の前記第１受信電力を目標受信電力値に決定することの前には、
前記ドナー局の前記ｂａｃｋｈａｕｌ  ＤＬ信号が前記中継ノードに到達するときの受信電力を測定して前記第１受信電力を得ること、
及び／又は、
前記第１受信電力を決定するための関連情報が搬送されているシグナリングを前記ドナー局から受信し、前記シグナリングに基づいて前記第１受信電力を決定することを更に含む、請求項３に記載の方法。
【請求項１１】
前記シグナリングは、無線リソース制御ＲＲＣシグナリング、メディアアクセス制御ＭＡＣシグナリング及び物理レイヤシグナリングの少なくとも１つを含む、請求項１０に記載の方法。
【請求項１２】
ドナー局に応用される無線通信方法であって、
前記ドナー局の中継ノードから送信する目標受信電力値及び／又は第１電力調整指令を受信することと、
前記目標受信電力値及び／又は前記第１電力調整指令に基づいて第１送信電力を調整することとを含み、
ここで、前記第１送信電力は、前記ドナー局から前記中継ノードに送信するｂａｃｋｈａｕｌ  ＤＬ信号の送信電力であり、
前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記ｂａｃｋｈａｕｌ  ＤＬ信号は、前記バックホールリンク上で伝送され、
前記第１電力調整指令は、第１受信電力と前記目標受信電力値との差が所定電力閾値よりも小さくなるように、前記第１送信電力の増加又は減少を前記ドナー局に指示するためのものであり、
前記第１受信電力は、前記ドナー局の前記ｂａｃｋｈａｕｌ  ＤＬ信号が前記中継ノードに到達するときの受信電力である、無線通信方法。
【請求項１３】
中継ノードに応用される無線通信方法であって、
基準時間を決定することと、
前記基準時間に基づいて、第１受信時間と第２受信時間との差が所定時間差よりも小さくなるように、第１送信時間及び／又は第２送信時間を制御することとを含み、
ここで、前記第１送信時間は、前記中継ノードのドナー局から前記中継ノードに送信するｂａｃｋｈａｕｌ  ＤＬ信号の送信時間であり、
前記第２送信時間は、端末機器から前記中継ノードに送信するａｃｃｅｓｓ  ＵＬ信号の送信時間であり、
前記第１受信時間は、前記ドナー局の前記ｂａｃｋｈａｕｌ  ＤＬ信号が前記中継ノードに到達するときの時間であり、
前記第２受信時間は、前記端末機器の前記ａｃｃｅｓｓ  ＵＬ信号が前記中継ノードに到達するときの時間である、無線通信方法。
【請求項１４】
前記の基準時間を決定することは、
前記中継ノードのフレームタイミングを基準時間に決定することを含む、請求項１３に記載の方法。
【請求項１５】
前記の前記基準時間に基づいて、第１受信時間と第２受信時間との差が所定時間差よりも小さくなるように、第１送信時間及び／又は第２送信時間を制御することは、
前記第１受信時間と前記基準時間との差が第１所定時間差よりも小さくなるように前記第１送信時間を制御することと、
前記第２受信時間と前記基準時間との差が第２所定時間差よりも小さくなるように前記第２送信時間を制御することと、
の少なくとも１つを含む、請求項１３に記載の方法。
【請求項１６】
前記の基準時間を決定することは、
前記第１受信時間を基準時間に決定することを含み、
前記の前記基準時間に基づいて、第１受信時間と第２受信時間との差が所定時間差よりも小さくなるように、第１送信時間及び／又は第２送信時間を制御することは、
前記第２受信時間と前記基準時間との差が所定時間差よりも小さくなるように前記第２送信時間を制御することを含む、請求項１３に記載の方法。
【請求項１７】
前記の基準時間を決定することは、
前記第２受信時間を基準時間に決定することを含み、
前記の前記基準時間に基づいて、第１受信時間と第２受信時間との差が所定時間差よりも小さくなるように、第１送信時間及び／又は第２送信時間を制御することは、
前記第１受信時間と前記基準時間との差が所定時間差よりも小さくなるように前記第１送信時間を制御することを含む、請求項１３に記載の方法。
【請求項１８】
前記の第１送信時間を制御することは、
前記ドナー局のｂａｃｋｈａｕｌ  ＤＬ信号が前記中継ノードに到達するときの時間を決定することと、
前記ドナー局のｂａｃｋｈａｕｌ  ＤＬ信号が前記中継ノードに到達するときの時間と前記基準時間とを比較して比較結果を得ることと、
前記比較結果に基づいて、第１時間調整指令を生成することと、
前記第１時間調整指令を前記ドナー局に送信することとを含み、
ここで、前記第１時間調整指令は、第１受信時間と前記基準時間との差が所定時間差よりも小さくなるように、前記第１送信時間の前倒し又は後ろ倒しを前記ドナー局に指示するためのものである、請求項１５又は１７に記載の方法。
【請求項１９】
前記の第２送信時間を制御することは、
第２時間調整指令を前記端末機器に送信することを含み、
ここで、前記第２時間調整指令は、第２受信時間と前記基準時間との差が所定時間差よりも小さくなるように、前記第２送信時間の前倒し又は後ろ倒しを前記端末機器に指示するためのものである、請求項１５又は１６に記載の方法。
【請求項２０】
前記の前記第１受信時間を基準時間に決定することの前には、
前記ドナー局のｂａｃｋｈａｕｌ  ＤＬ信号が前記中継ノードに到達するときの時間を測定して、前記第１受信時間を得ることを更に含む、請求項１６に記載の方法。
【請求項２１】
ドナー局に応用される無線通信方法であって、
前記ドナー局の中継ノードから送信する第１時間調整指令を受信することと、
前記第１時間調整指令に基づいて第１送信時間を調整することとを含み、
ここで、前記第１送信時間は、前記ドナー局から前記中継ノードに送信するｂａｃｋｈａｕｌ  ＤＬ信号の送信時間であり、
前記第１時間調整指令は、第１受信時間と前記中継ノードによって決定される基準時間との差が所定時間差よりも小さくなるように、前記第１送信時間の前倒し又は後ろ倒しを前記ドナー局に指示するためのものであり、
前記第１受信時間は、前記ドナー局の前記ｂａｃｋｈａｕｌ  ＤＬ信号が前記中継ノードに到達するときの時間である、無線通信方法。
【請求項２２】
中継ノードに応用される無線通信装置であって、
目標受信電力値を決定する第１決定ユニットと、
前記目標受信電力値に基づいて、第１受信電力と第２受信電力との差が所定電力閾値よりも小さくなるように、第１送信電力及び／又は第２送信電力を制御する第１制御ユニットとを含み、
ここで、前記第１送信電力は、前記中継ノードのドナー局から前記中継ノードに送信するｂａｃｋｈａｕｌ  ＤＬ信号の送信電力であり、
前記第２送信電力は、端末機器から前記中継ノードに送信するａｃｃｅｓｓ  ＵＬ信号の送信電力であり、
前記第１受信電力は、前記ドナー局の前記ｂａｃｋｈａｕｌ  ＤＬ信号が前記中継ノードに到達するときの受信電力であり、
前記第２受信電力は、前記端末機器の前記ａｃｃｅｓｓ  ＵＬ信号が前記中継ノードに到達するときの受信電力である、無線通信装置。
【請求項２３】
ドナー局に応用される無線通信装置であって、
前記ドナー局の中継ノードから送信する目標受信電力値及び／又は第１電力調整指令を受信する第２受信ユニットと、
前記目標受信電力値及び／又は前記第１電力調整指令に基づいて第１送信電力を調整する第１調整ユニットとを含み、
ここで、前記第１送信電力は、前記ドナー局から前記中継ノードに送信するｂａｃｋｈａｕｌ  ＤＬ信号の送信電力であり、
前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記ｂａｃｋｈａｕｌ  ＤＬ信号は、前記バックホールリンク上で伝送され、
前記第１電力調整指令は、第１受信電力と前記目標受信電力値との差が所定電力閾値よりも小さくなるように、前記第１送信電力の増加又は減少を前記ドナー局に指示するためのものであり、
前記第１受信電力は、前記ドナー局の前記ｂａｃｋｈａｕｌ  ＤＬ信号が前記中継ノードに到達するときの受信電力である、無線通信装置。
【請求項２４】
中継ノードに応用される無線通信装置であって、
基準時間を決定する第２決定ユニットと、
前記基準時間に基づいて、第１受信時間と第２受信時間との差が所定時間差よりも小さくなるように、第１送信時間及び／又は第２送信時間を制御する第２制御ユニットとを含み、
ここで、前記第１送信時間は、前記中継ノードのドナー局から前記中継ノードに送信するｂａｃｋｈａｕｌ  ＤＬ信号の送信時間であり、
前記第２送信時間は、端末機器から前記中継ノードに送信するａｃｃｅｓｓ  ＵＬ信号の送信時間であり、
前記第１受信時間は、前記ドナー局の前記ｂａｃｋｈａｕｌ  ＤＬ信号が前記中継ノードに到達するときの時間であり、
前記第２受信時間は、前記端末機器の前記ａｃｃｅｓｓ  ＵＬ信号が前記中継ノードに到達するときの時間である、無線通信装置。
【請求項２５】
ドナー局に応用される無線通信装置であって、
前記ドナー局の中継ノードから送信する第１時間調整指令を受信する第３受信ユニットと、
前記第１時間調整指令に基づいて第１送信時間を調整する第２調整ユニットとを含み、
ここで、前記第１送信時間は、前記ドナー局から前記中継ノードに送信するｂａｃｋｈａｕｌ  ＤＬ信号の送信時間であり、
前記第１時間調整指令は、第１受信時間と前記中継ノードによって決定される基準時間との差が所定時間差よりも小さくなるように、前記第１送信時間の前倒し又は後ろ倒しを前記ドナー局に指示するためのものであり、
前記第１受信時間は、前記ドナー局の前記ｂａｃｋｈａｕｌ  ＤＬ信号が前記中継ノードに到達するときの時間である、無線通信装置。
【請求項２６】
メモリと、プロセッサと、前記メモリに格納されて前記プロセッサで動作可能なプログラムとを含むネットワーク機器であって、
前記プログラムが前記プロセッサによって実行されると、請求項１〜１１のいずれか一項に記載の無線通信方法が実現される、ネットワーク機器。
【請求項２７】
メモリと、プロセッサと、前記メモリに格納されて前記プロセッサで動作可能なプログラムとを含むネットワーク機器であって、
前記プログラムが前記プロセッサによって実行されると、請求項１２に記載の無線通信方法が実現される、ネットワーク機器。
【請求項２８】
メモリと、プロセッサと、前記メモリに格納されて前記プロセッサで動作可能なプログラムとを含むネットワーク機器であって、
前記プログラムが前記プロセッサによって実行されると、請求項１３〜２０のいずれか一項に記載の無線通信方法が実現される、ネットワーク機器。
【請求項２９】
メモリと、プロセッサと、前記メモリに格納されて前記プロセッサで動作可能なプログラムとを含むネットワーク機器であって、
前記プログラムが前記プロセッサによって実行されると、請求項２１に記載の無線通信方法が実現される、ネットワーク機器。
【請求項３０】
プログラムが格納されているコンピュータ読み取り可能な記憶媒体であって、
前記プログラムがプロセッサによって実行されると、請求項１〜１１のいずれか一項に記載の無線通信方法が実現される、コンピュータ読み取り可能な記憶媒体。
【請求項３１】
プログラムが格納されているコンピュータ読み取り可能な記憶媒体であって、
前記プログラムがプロセッサによって実行されると、請求項１２に記載の無線通信方法が実現される、コンピュータ読み取り可能な記憶媒体。
【請求項３２】
プログラムが格納されているコンピュータ読み取り可能な記憶媒体であって、
前記プログラムがプロセッサによって実行されると、請求項１３〜２０のいずれか一項に記載の無線通信方法が実現される、コンピュータ読み取り可能な記憶媒体。
【請求項３３】
プログラムが格納されているコンピュータ読み取り可能な記憶媒体であって、
前記プログラムがプロセッサによって実行されると、請求項２１に記載の無線通信方法が実現される、コンピュータ読み取り可能な記憶媒体。
【発明の詳細な説明】
【技術分野】
【０００１】
本願は、２０１８年５月１１日に中国特許庁に提出された中国特許出願２０１８１０４５０４９０．３の優先権を主張し、その全ての内容が援用によりここに取り込まれる。
本開示は、通信技術分野に係り、特に無線通信方法、装置及びネットワーク機器に係る。
【背景技術】
【０００２】
中継（Ｒｅｌａｙ）技術は、基地局と、例えばユーザ機器ＵＥ（Ｕｓｅｒ  Ｅｑｕｉｐｍｅｎｔ）とも呼ばれる端末機器との間に１つ又は複数の中継ノードを追加し、中継ノードによって無線信号を１回又は複数回転送する無線通信技術である。典型的な中継システムアプリケーションシナリオでは、図１に示すように、ドナー局（Ｄｏｎｏｒ  ｇＮＢ）１０１と、中継ノード（Ｒｅｌａｙ  ｎｏｄｅ）１０２と、端末機器１０３とを含み、ここで、ドナー局１０１がサービスするセルをドナーセル（Ｄｏｎｏｒ  ｃｅｌｌ）と呼び、中継ノード１０２がサービスするセルを中継セル（Ｒｅｌａｙ  ｃｅｌｌ）と呼び、ドナー局１０１と中継ノード１０２との間の通信リンクをバックホールリンク（ｂａｃｋｈａｕｌ  ｌｉｎｋ）又はバックホール路線と呼び、中継ノード１０２と中継セルにアクセスする端末機器１０３との間の通信リンクをアクセスリンク（ａｃｃｅｓｓ  ｌｉｎｋ）と呼ぶ。
【０００３】
従来技術において、中継ノードが半二重（半複信）動作モードで信号を正常に送受信できることを確保するために、時分割多重化ＴＤＭ（Ｔｉｍｅ  Ｄｉｖｉｓｉｏｎ  Ｍｕｌｔｉｐｌｅｘｉｎｇ）方式が採用されている。
【０００４】
しかしながら、ドナー局と端末機器との間で双方向の信号伝送を１回完成するには４スロットを必要とし、且つドナー局と端末機器が半分の時間でアイドル状態にあるため、伝送遅延が大きく、システムの通信効率が低い。
【発明の概要】
【発明が解決しようとする課題】
【０００５】
本開示の実施例の目的は、伝送遅延が大きく、システムの通信効率が低いという従来技術に存在する技術問題を解決するために、無線通信方法、装置及びネットワーク機器を提供することである。
【課題を解決するための手段】
【０００６】
第１態様として、中継ノードに応用される無線通信方法を提供する。
前記方法において、
目標受信電力値を決定することと、
前記目標受信電力値に基づいて、第１受信電力と第２受信電力との差が所定電力閾値よりも小さくなるように、第１送信電力及び／又は第２送信電力を制御することとを含み、
ここで、前記第１送信電力は、前記中継ノードのドナー局から前記中継ノードに送信するバックホールダウンリンクｂａｃｋｈａｕｌ  ＤＬ信号の送信電力であり、
前記第２送信電力は、端末機器から前記中継ノードに送信するアクセスアップリンクａｃｃｅｓｓ  ＵＬ信号の送信電力であり、
前記第１受信電力は、前記ドナー局の前記ｂａｃｋｈａｕｌ  ＤＬ信号が前記中継ノードに到達するときの受信電力であり、
前記第２受信電力は、前記端末機器の前記ａｃｃｅｓｓ  ＵＬ信号が前記中継ノードに到達するときの受信電力である。
【０００７】
第２態様として、ドナー局に応用される無線通信方法を提供する。
前記方法において、
前記ドナー局の中継ノードから送信する目標受信電力値及び／又は第１電力調整指令を受信することと、
前記目標受信電力値及び／又は前記第１電力調整指令に基づいて第１送信電力を調整することとを含み、
ここで、前記第１送信電力は、前記ドナー局から前記中継ノードに送信するｂａｃｋｈａｕｌ  ＤＬ信号の送信電力であり、
前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記ｂａｃｋｈａｕｌ  ＤＬ信号は、前記バックホールリンク上で伝送され、
前記第１電力調整指令は、第１受信電力と前記目標受信電力値との差が所定電力閾値よりも小さくなるように、前記第１送信電力の増加又は減少を前記ドナー局に指示するためのものであり、
前記第１受信電力は、前記ドナー局の前記ｂａｃｋｈａｕｌ  ＤＬ信号が前記中継ノードに到達するときの受信電力である。
【０００８】
第３態様として、中継ノードに応用される無線通信方法を提供する。
前記方法において、
基準時間を決定することと、
前記基準時間に基づいて、第１受信時間と第２受信時間との差が所定時間差よりも小さくなるように、第１送信時間及び／又は第２送信時間を制御することとを含み、
ここで、前記第１送信時間は、前記中継ノードのドナー局から前記中継ノードに送信するｂａｃｋｈａｕｌ  ＤＬ信号の送信時間であり、
前記第２送信時間は、端末機器から前記中継ノードに送信するａｃｃｅｓｓ  ＵＬ信号の送信時間であり、
前記第１受信時間は、前記ドナー局の前記ｂａｃｋｈａｕｌ  ＤＬ信号が前記中継ノードに到達するときの時間であり、
前記第２受信時間は、前記端末機器の前記ａｃｃｅｓｓ  ＵＬ信号が前記中継ノードに到達するときの時間である。
【０００９】
第４態様として、ドナー局に応用される無線通信方法を提供する。
前記方法において、
前記ドナー局の中継ノードから送信する第１時間調整指令を受信することと、
前記第１時間調整指令に基づいて第１送信時間を調整することとを含み、
ここで、前記第１送信時間は、前記ドナー局から前記中継ノードに送信するｂａｃｋｈａｕｌ  ＤＬ信号の送信時間であり、
前記第１時間調整指令は、第１受信時間と前記中継ノードによって決定される基準時間との差が所定時間差よりも小さくなるように、前記第１送信時間の前倒し又は後ろ倒しを前記ドナー局に指示するためのものであり、
前記第１受信時間は、前記ドナー局の前記ｂａｃｋｈａｕｌ  ＤＬ信号が前記中継ノードに到達するときの時間である。
【００１０】
第５態様として、中継ノードに応用される無線通信装置を提供する。
前記装置は、
目標受信電力値を決定する第１決定ユニットと、
前記目標受信電力値に基づいて、第１受信電力と第２受信電力との差が所定電力閾値よりも小さくなるように、第１送信電力及び／又は第２送信電力を制御する第１制御ユニットとを含み、
ここで、前記第１送信電力は、前記中継ノードのドナー局から前記中継ノードに送信するｂａｃｋｈａｕｌ  ＤＬ信号の送信電力であり、
前記第２送信電力は、端末機器から前記中継ノードに送信するａｃｃｅｓｓ  ＵＬ信号の送信電力であり、
前記第１受信電力は、前記ドナー局の前記ｂａｃｋｈａｕｌ  ＤＬ信号が前記中継ノードに到達するときの受信電力であり、
前記第２受信電力は、前記端末機器の前記ａｃｃｅｓｓ  ＵＬ信号が前記中継ノードに到達するときの受信電力である。
【００１１】
第６態様として、ドナー局に応用される無線通信装置を提供する。
前記装置は、
前記ドナー局の中継ノードから送信する目標受信電力値及び／又は第１電力調整指令を受信する第２受信ユニットと、
前記目標受信電力値及び／又は前記第１電力調整指令に基づいて第１送信電力を調整する第１調整ユニットとを含み、
ここで、前記第１送信電力は、前記ドナー局から前記中継ノードに送信するｂａｃｋｈａｕｌ  ＤＬ信号の送信電力であり、
前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記ｂａｃｋｈａｕｌ  ＤＬ信号は、前記バックホールリンク上で伝送され、
前記第１電力調整指令は、第１受信電力と前記目標受信電力値との差が所定電力閾値よりも小さくなるように、前記第１送信電力の増加又は減少を前記ドナー局に指示するためのものであり、
前記第１受信電力は、前記ドナー局の前記ｂａｃｋｈａｕｌ  ＤＬ信号が前記中継ノードに到達するときの受信電力である。
【００１２】
第７態様として、中継ノードに応用される無線通信装置を提供する。
前記装置は、
基準時間を決定する第２決定ユニットと、
前記基準時間に基づいて、第１受信時間と第２受信時間との差が所定時間差よりも小さくなるように、第１送信時間及び／又は第２送信時間を制御する第２制御ユニットとを含み、
ここで、前記第１送信時間は、前記中継ノードのドナー局から前記中継ノードに送信するｂａｃｋｈａｕｌ  ＤＬ信号の送信時間であり、
前記第２送信時間は、端末機器から前記中継ノードに送信するａｃｃｅｓｓ  ＵＬ信号の送信時間であり、
前記第１受信時間は、前記ドナー局の前記ｂａｃｋｈａｕｌ  ＤＬ信号が前記中継ノードに到達するときの時間であり、
前記第２受信時間は、前記端末機器の前記ａｃｃｅｓｓ  ＵＬ信号が前記中継ノードに到達するときの時間である。
【００１３】
第８態様として、ドナー局に応用される無線通信装置を提供する。
前記装置は、
前記ドナー局の中継ノードから送信する第１時間調整指令を受信する第３受信ユニットと、
前記第１時間調整指令に基づいて第１送信時間を調整する第２調整ユニットとを含み、
ここで、前記第１送信時間は、前記ドナー局から前記中継ノードに送信するｂａｃｋｈａｕｌ  ＤＬ信号の送信時間であり、
前記第１時間調整指令は、第１受信時間と前記中継ノードによって決定される基準時間との差が所定時間差よりも小さくなるように、前記第１送信時間の前倒し又は後ろ倒しを前記ドナー局に指示するためのものであり、
前記第１受信時間は、前記ドナー局の前記ｂａｃｋｈａｕｌ  ＤＬ信号が前記中継ノードに到達するときの時間である。
【００１４】
第９態様として、ネットワーク機器を提供する。
メモリと、プロセッサと、前記メモリに格納されて前記プロセッサで動作可能なプログラムとを含むネットワーク機器において、
前記プログラムが前記プロセッサによって実行されると、上記の中継ノードに応用される無線通信方法が実現される。
【００１５】
第１０態様として、ネットワーク機器を提供する。
メモリと、プロセッサと、前記メモリに格納されて前記プロセッサで動作可能なプログラムとを含むネットワーク機器において、
前記プログラムが前記プロセッサによって実行されると、上記のドナー局に応用される無線通信方法が実現される。
【００１６】
第１１態様として、記憶媒体を提供する。
プログラムが格納されているコンピュータ読み取り可能な記憶媒体において、
前記プログラムがプロセッサによって実行されると、上記の中継ノードに応用される無線通信方法が実現される。
【００１７】
第１２態様として、記憶媒体を提供する。
プログラムが格納されているコンピュータ読み取り可能な記憶媒体において、
前記プログラムがプロセッサによって実行されると、上記のドナー局に応用される無線通信方法が実現される。
【発明の効果】
【００１８】
本開示の実施例において、中継ノードは、ドナー局のｂａｃｋｈａｕｌ  ＤＬ信号が中継ノードに到達するときの信号電力と、端末機器のａｃｃｅｓｓ  ＵＬ信号が中継ノードに到達するときの信号電力との差が中継ノードの許容範囲内となるように、ドナー局のｂａｃｋｈａｕｌ  ＤＬ信号の送信電力及び／又は端末機器のａｃｃｅｓｓ  ＵＬ信号の送信電力を目標受信電力値に基づいて制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００１９】
本開示の実施例において、ドナー局は、ドナー局のｂａｃｋｈａｕｌ  ＤＬ信号が中継ノードに到達するときの信号電力と、端末機器のａｃｃｅｓｓ  ＵＬ信号が中継ノードに到達するときの信号電力との差が中継ノードの許容範囲内となるように、中継ノードの電力制御メカニズムと連携して該ドナー局のｂａｃｋｈａｕｌ  ＤＬ信号の送信電力を調整することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００２０】
本開示の実施例において、中継ノードは、同じスロット又は同じ時間間隔内でドナー局のｂａｃｋｈａｕｌ  ＤＬ信号が中継ノードに到達するときの時間と、端末機器のａｃｃｅｓｓ  ＵＬ信号が中継ノードに到達するときの時間との差が中継ノードの許容範囲内になるように、ドナー局のｂａｃｋｈａｕｌ  ＤＬ信号の送信時間及び／又は端末機器のａｃｃｅｓｓ  ＵＬ信号の送信時間を基準時間に基づいて制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００２１】
本開示の実施例において、ドナー局は、同じスロット又は同じ時間間隔内でドナー局のｂａｃｋｈａｕｌ  ＤＬ信号が中継ノードに到達するときの時間と、端末機器のａｃｃｅｓｓ  ＵＬ信号が中継ノードに到達するときの時間との差が中継ノードの許容範囲内になるように、中継ノードの送信時間制御メカニズムと提携して該ドナー局のｂａｃｋｈａｕｌ  ＤＬ信号の送信時間を制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００２２】
本開示の実施例や従来技術の技術手段をより明確に説明するために、以下、実施例や従来技術の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００２３】
【図１】従来技術のシングルホップ中継システムのシナリオ図である。
【図２】従来技術のＴＤＭ方式による信号伝送を行う中継システムのシナリオ図である。
【図３】本開示のＦＤＭ又はＳＤＭ方式による信号伝送を行う中継システムのシナリオ図である。
【図４】本開示の１つの実施例に係る無線通信方法のフローチャートである。
【図５】本開示のもう１つの実施例に係る無線通信方法のフローチャートである。
【図６】本開示のもう１つの実施例に係る無線通信方法のフローチャートである。
【図７】本開示のもう１つの実施例に係る無線通信方法のフローチャートである。
【図８】本開示の１つの実施例に係る無線通信装置の構造図である。
【図９】本開示のもう１つの実施例に係る無線通信装置の構造図である。
【図１０】本開示の１つの実施例に係る無線通信装置の構造図である。
【図１１】本開示のもう１つの実施例に係る無線通信装置の構造図である。
【図１２】本開示の１つの実施例に係るネットワーク機器の構造図である。
【発明を実施するための形態】
【００２４】
本開示の技術手段を当業者によりよく理解してもらうために、以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００２５】
本開示の実施例の技術手段は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）（登録商標）システム、ＧＰＲＳ（Ｇｅｎｅｒａｌ  Ｐａｃｋｅｔ  Ｒａｄｉｏ  Ｓｅｒｖｉｃｅ）システム、ＬＴＥ（Ｌｏｎｇ  Ｔｅｒｍ  Ｅｖｏｌｕｔｉｏｎ）システム、ＦＤＤ（Ｆｒｅｑｕｅｎｃｙ  Ｄｉｖｉｓｉｏｎ  Ｄｕｐｌｅｘ）システム、ＴＤＤ（Ｔｉｍｅ  Ｄｉｖｉｓｉｏｎ  Ｄｕｐｌｅｘ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇ（５−ｔｈ  Ｇｅｎｅｒａｔｉｏｎ）システム、又はＮＲ（Ｎｅｗ  Ｒａｄｉｏ）システム及びその進化した通信システムなど、様々な通信システムに応用可能である。
【００２６】
本開示の実施例において、端末機器は、移動局ＭＳ（Ｍｏｂｉｌｅ  Ｓｔａｔｉｏｎ）、移動端末（Ｍｏｂｉｌｅ  Ｔｅｒｍｉｎａｌ）、モバイル電話（Ｍｏｂｉｌｅ  Ｔｅｌｅｐｈｏｎｅ）、ユーザ機器ＵＥ（Ｕｓｅｒ  Ｅｑｕｉｐｍｅｎｔ）、携帯電話（ｈａｎｄｓｅｔ）及び携帯機器（ｐｏｒｔａｂｌｅ  ｅｑｕｉｐｍｅｎｔ）、車両（ｖｅｈｉｃｌｅ）を含み、それらに限られない。該端末機器は、無線アクセスネットワークＲＡＮ（Ｒａｄｉｏ  Ａｃｃｅｓｓ  Ｎｅｔｗｏｒｋ）を介して１つ又は複数のコアネットワークと通信可能である。例えば、端末機器は、移動電話（又は「セルラー」電話と称される）、無線通信機能を有するコンピュータなどである。端末機器は、更に、携帯式、ポータブル式、ハンドヘルド式、コンピュータ内蔵式又は車載の移動装置であってもよい。
【００２７】
本開示の実施例に係るネットワーク機器は、無線アクセスネットワークに配置されて、無線通信機能を端末機器に提供するために用いられる装置である。前記ネットワーク機器は、基地局であってもよい。前記基地局は、様々な形態のマクロ基地局、ピコ基地局、中継局、アクセスポイントなどを含む。異なる無線アクセス技術が用いられるシステムでは、基地局の機能を有する機器の名称は、異なる可能性がある。例えば、ＬＴＥネットワークにおいて、ｅＮＢやｅＮｏｄｅＢ（Ｅｖｏｌｖｅｄ  ＮｏｄｅＢ）と称され、３Ｇ（３ｒｄ  Ｇｅｎｅｒａｔｉｏｎ）ネットワークにおいて、ノードＢ（Ｎｏｄｅ  Ｂ）と称され、その進化した通信システムにおいて、ネットワーク側の機器などと称される。
【００２８】
分かりやすくするために、まず、本開示の実施例に係る一部の概念を紹介する。
【００２９】
バックホールリンク（ｂａｃｋｈａｕｌ  ｌｉｎｋ）は、中継システムにおけるドナー局と中継ノードとの間の通信リンクを指し、具体的には、バックホールダウンリンクと、バックホールアップリンクとを含む。ここで、中継ノードは、バックホールダウンリンクで「ｂａｃｋｈａｕｌ  ＤＬ信号」とも称されるバックホールリンク下り信号をドナー局から受信し、バックホールアップリンクで「ｂａｃｋｈａｕｌ  ＵＬ信号」とも称されるバックホールリンク上り信号をドナー局に送信する。
【００３０】
アクセスリンク（ａｃｃｅｓｓ  ｌｉｎｋ）は、中継ノードと中継セルにアクセスする終端機器との間の通信リンクを指し、具体的には、アクセスダウンリンクとアクセスアップリンクとを含む。ここで、中継ノードは、アクセスダウンリンクで「ａｃｃｅｓｓ  ＤＬ信号」とも称されるアクセスリンク下り信号を終端機器に送信し、アクセスアップリンクで「ａｃｃｅｓｓ  ＵＬ信号」とも称されるアクセスリンク上り信号を端末機器から受信する。なお、本開示の実施例に係る端末機器は、全て中継セルにアクセスする端末機器を意味する。
【００３１】
ドナー局は、中継ノードの上位ノードを指し、実際の運用において、直接コアネットワークに有線接続されることもあれば、より上位のドナーノードによる中継でコアネットワークに接続されることもある。
【００３２】
無線中継システムにおいて、中継ノードは、ドナー局、端末機器と通信する必要があり、半二重の動作モードを採用しているため、同一のキャリア周波数で同時に信号を送受信することができない（同一のキャリア周波数で同時に信号を送受信すると、中継ノードの自己干渉が問題となる）。具体的には、中継ノードは、バックホールリンク上の信号を受信する場合、アクセスリンク上で信号を送信することができず、逆に、バックホールリンク上で信号を送信する場合、アクセスリンク上で信号を受信することができない。従って、中継ノードが信号を正常に送受信できることを保証するには、一定のリソース割当メカニズムが必要である。
【００３３】
中継ノードが半二重モードで動作できることを保証するために、４Ｇ  ＬＴＥ中継システムではＴＤＭ多重方式が採用される。具体的には、図２に示すように、中継システムにおけるドナー局、中継ノード及び端末機器間の信号伝送手順を示す。ここで、ＴＸは、対応するネットワークノードが送信状態にあることを示し、ＲＸは、対応するネットワークノードが受信状態にあることを示し、Ｘは、対応するネットワークノードが送信も受信もしていないことを示す。図２から分かるように、ドナー局からバックホールダウンリンクで中継ノードに信号を送信するには１スロットを占有する必要があり、中継ノードからアクセスダウンリンクで端末機器に信号を送信するには１スロットを占有する必要があり、端末機器からアクセスアップリンクで中継ノードに信号を送信するには１スロットを占有する必要があり、中継ノードからバックホールアップリンクでドナー局に信号を送信するには１スロットを占有する必要がある。即ち、ドナー局と端末機器との双方向の信号伝送を一回完成するには４スロットが必要となる。ドナー局と端末機器が半分の時間でアイドル状態にあり（即ち信号の送信も受信もしない）、伝送遅延が大きくなり、中継システムの通信効率が低い。
【００３４】
中継システムの伝送効率を更に向上させるために、５Ｇでは、ｂａｃｋｈａｕｌ／ａｃｃｅｓｓ  ｌｉｎｋの効率化多重化方式、具体的には周波数分割多重ＦＤＭ（Ｆｒｅｑｕｅｎｃｙ  Ｄｉｖｉｓｉｏｎ  Ｍｕｌｔｉｐｌｅｘｉｎｇ）方式や空間多重伝送ＳＤＭ（Ｓｐａｔｉａｌ  Ｄｏｍａｉｎ  Ｍｕｌｔｉｐｌｅｘｉｎｇ）方式が提案されている。
【００３５】
ＦＤＭ方式では、中継ノードは、ドナー局からのｂａｃｋｈａｕｌ  ＤＬ信号の受信と端末機器からのａｃｃｅｓｓ  ＵＬ信号の受信を同時に行うことも、ドナー局へのｂａｃｋｈａｕｌ  ＵＬ信号の送信と端末機器へのａｃｃｅｓｓ  ＤＬ信号の送信を同時に行うこともできる。図３に示すように、バックホールダウンリンクとアクセスアップリンクが同時に動作するか、又は、バックホールアップリンクとアクセスダウンリンクが同時に動作する場合、バックホールリンクとアクセスリンクは、異なる周波数リソース、即ちＦＤＭを使用する。
【００３６】
ＳＤＭ方式では、バックホールダウンリンクとアクセスアップリンクとが同時に動作するか、又はバックホールアップリンクとアクセスダウンリンクとが同時に動作する場合、バックホールリンクとアクセスリンクとは同じ周波数リソースを使用することができ、両方のリンクは、空間リソースで更に区別される。
【００３７】
図２と図３を合わせると、４Ｇ  ＬＴＥのＴＤＭ方式に比べて、ＦＤＭ方式やＳＤＭ方式では、ドナー局と端末機器間の双方向の信号伝送を１回完成するには、２スロットしか必要としない上、ドナー局、中継ノード、端末機器がスロット毎に信号の送受信を行うので、データ伝送遅延が少なくなり、中継システムの通信効率が向上する。しかしながら、現在の５Ｇの技術的議論では、ＦＤＭ／ＳＤＭ方式の概念が提示されているだけであり、具体的な技術的設計は存在しない。
【００３８】
本開示の実施形態において、中継ノードからドナー局及び端末機器までの距離が異なること、無線伝搬環境が異なること、ドナー局及び端末機器の送信電力が異なることを考慮して、バックホールリンク及びアクセスリンクの同時動作をサポートし、かつ、バックホールリンク及びアクセスリンクをＦＤＭ又はＳＤＭ方式で多重化するために、以下の２つの技術的課題を解決する必要がある。
技術的課題１は、中継ノードがドナー局からのｂａｃｋｈａｕｌ  ＤＬ信号と端末機器からのａｃｃｅｓｓ  ＵＬ信号を同時に受信する必要があるため、２つの信号が中継ノードに到達するときの信号強度の差が大き過ぎて中継ノードの許容範囲を超えてしまうと、中継ノードは、いずれかの信号を正常に受信できなくなるということである。従って、合理的な電力制御スキームが必要とされる。
技術的課題２は、中継ノードがドナー局からのｂａｃｋｈａｕｌ  ＤＬ信号と端末機器からのａｃｃｅｓｓ  ＵＬ信号を同時に受信する必要があるため、２つの信号が中継ノードに到達する時間が同期せず、且つ同期ずれが中継ノードの許容範囲を超えてしまうと、中継ノードが受信する際に両信号が直交しなくなり、相互干渉を起こし、中継ノードは、いずれかの信号を正常に受信できなくなるということである。このため、合理的なタイミング同期メカニズムが必要となる。
【００３９】
上記の技術的課題１を解決するために、本開示の実施例は、無線通信方法を提供する。図４に示すように、本開示の１つの実施例に係る無線通信方法のフローチャートである。該方法は、中継ノードに応用され、以下のステップ４０１とステップ４０２を含む。
ステップ４０１において、目標受信電力値を決定する。
ステップ４０２において、目標受信電力値に基づいて、第１受信電力と第２受信電力との差が所定電力閾値よりも小さくなるように、第１送信電力及び／又は第２送信電力を制御する。
【００４０】
本開示の実施例において、第１送信電力は、中継ノードのドナー局から中継ノードに送信するｂａｃｋｈａｕｌ  ＤＬ信号の送信電力であり、第２送信電力は、端末機器から中継ノードに送信するａｃｃｅｓｓ  ＵＬ信号の送信電力であり、第１受信電力は、ドナー局のｂａｃｋｈａｕｌ  ＤＬ信号が中継ノードに到達するときの受信電力であり、第２受信電力は、端末機器のａｃｃｅｓｓ  ＵＬ信号が中継ノードに到達するときの受信電力である。
【００４１】
本開示の実施例において、所定電力閾値は、中継ノードが許容することができる２つの信号間の最大電力差である。
【００４２】
本開示の実施例において、中継ノードは、第１受信電力を参照して目標受信電力値を決定し、又は、第２受信電力を参照して目標受信電力値を決定し、又は、第１受信電力及び第２受信電力を参照せずに目標受信電力値を決定する。
【００４３】
選択可能に、１つの実施例において、中継ノードは、目標受信電力値を決定する際に第１受信電力及び第２受信電力を参照しない。即ち、目標受信電力値は、中継ノード自身によって設定される。この場合において、中継ノードは、目標受信電力値に基づいて、第１受信電力と第２受信電力との差が中継ノードの許容範囲内となるように第１送信電力及び第２送信電力の両方を調整する。この場合、上記ステップ４０２は、具体的には、下記のステップ４０２１及び４０２２（図示せず）のうちの少なくとも一方を含む。
ステップ４０２１において、第１受信電力と目標受信電力値との差が第１所定電力閾値よりも小さくなるように第１送信電力を制御する。
ステップ４０２２において、第２受信電力と目標受信電力値との差が第２所定電力閾値よりも小さくなるように第２送信電力を制御する。
【００４４】
本開示の実施例において、所定電力閾値、第１所定電力閾値及び第２所定電力閾値の３者は、異なる。ここで、所定電力閾値とは、中継ノードの２つの信号の電力差に対する許容度を指す。中継ノードは、第１送信電力と第２送信電力を制御する場合、第１所定電力閾値と第２所定電力閾値を設定することによって、第１受信電力と第２受信電力との差を所定電力閾値よりも小さくする。
【００４５】
このように、中継ノードは、まず目標受信電力値を設定し、ｂａｃｋｈａｕｌ  ＤＬ信号が中継ノードに到達するときの信号強度とａｃｃｅｓｓ  ＵＬ信号が中継ノードに到達するときの信号強度との差が中継ノードの許容範囲内となるように、ドナー局のｂａｃｋｈａｕｌ  ＤＬ信号の送信電力と端末機器のａｃｃｅｓｓ  ＵＬ信号の送信電力とを制御する。
【００４６】
選択可能に、もう１つの実施形態において、中継ノードは、目標受信電力値を決定する際に第１受信電力を参照する。即ち、目標受信電力値は、中継ノードによって第１受信電力に基づいて設定される。この場合、中継ノードは、第１受信電力を取得した後、第１受信電力を目標受信電力値に決定し、第１受信電力に基づいて、第１受信電力と第２受信電力との差が中継ノードの許容範囲内になるように第２送信電力のみを調整する。
この場合、上記ステップ４０２は、具体的には、第２の受信電力と目標受信電力値との差が所定電力閾値よりも小さくなるように第２送信電力を制御するステップを含む。
【００４７】
選択可能に、中継ノードは、ドナー局のｂａｃｋｈａｕｌ  ＤＬ信号が中継ノードに到達するときの受信電力を測定して第１受信電力を得て、及び／又は、ドナー局から送信されたシグナリングを受信し、前記シグナリングに基づいて第１受信電力を決定する。ここで、該シグナリングには、第１受信電力を決定するための関連情報が搬送され、該関連情報は、ドナー局からｂａｃｋｈａｕｌ  ＤＬ信号を送信する送信電力強度である。それによって、中継ノードは、送信電力強度と経路損失との差分を演算して第１受信電力を得る。該シグナリングは、無線リソース制御ＲＲＣシグナリング、メディアアクセス制御ＭＡＣシグナリング及び物理層シグナリングの少なくとも一つを含む。
【００４８】
このように、中継ノードは、ドナー局のｂａｃｋｈａｕｌ  ＤＬ信号が中継ノードに到達したときの受信電力を目標受信電力値に設定しておき、ｂａｃｋｈａｕｌ  ＤＬ信号が中継ノードに到達したときの信号強度とａｃｃｅｓｓ  ＵＬ信号が中継ノードに到達したときの信号強度との差が中継ノードの許容範囲内となるように、端末機器のａｃｃｅｓｓ  ＵＬ信号の送信電力のみを制御することがわかる。
【００４９】
選択可能に、もう１つの実施形態において、中継ノードは、目標受信電力値を決定する際に第２受信電力を参照する。即ち、目標受信電力値は、中継ノードによって第２受信電力に基づいて設定される。この場合、中継ノードは、第２受信電力を目標受信電力値に決定し、第２受信電力に基づいて、第１受信電力と第２受信電力との差が中継ノードの許容範囲内となるように第１送信電力のみを調整する。
この場合、上記ステップ４０２は、具体的には、第１受信電力と目標受信電力値との差が所定電力閾値よりも小さくなるように第１送信電力を制御するステップを含む。
【００５０】
このように、中継ノードは、端末機器のａｃｃｅｓｓ  ＵＬ信号が中継ノードに到達するときの受信電力を目標受信電力値に設定しておき、ｂａｃｋｈａｕｌ  ＤＬ信号が中継ノードに到達するときの信号強度とａｃｃｅｓｓ  ＵＬ信号が中継ノードに到達するときの信号強度との差が中継ノードの許容範囲内となるように、ドナー局のｂａｃｋｈａｕｌ  ＤＬ信号の送信電力のみを制御することが分かる。
【００５１】
本開示の実施例において、第１送信電力を制御する際に、以下の方式のうちの少なくとも１つが採用される。
【００５２】
ａ、目標受信電力値をドナー局に送信する。ここで、該目標受信電力値は、ドナー局が第１送信電力を決定するために使用される。第１送信電力は、目標受信電力値と、中継ノードとドナー局との間のバックホールリンクの経路損失とによって決定される。経路損失は、バックホールリンクで信号が伝送される電力損失を意味する。
【００５３】
対応して、ドナー局は、目標受信電力値を受信すると、バックホールリンクの経路損失測定状況に応じて電力補償を行う。例えば、第１送信電力をＰ＿ｂａｃｋｈａｕｌ、目標受信電力値をＰ＿ｔａｒｇｅｔ、経路損失をｐａｔｈｌｏｓｓ＿ＢＨとしたとき、Ｐ＿ｂａｃｋｈａｕｌ＝Ｐ＿ｔａｒｇｅｔ＋ｐａｔｈｌｏｓｓ＿ＢＨの式に従って、第１送信電力を決定する。
【００５４】
選択可能に、経路損失は、中継ノードによって測定して得られ、測定結果が中継ノードによってドナー局に報告される。この場合、中継ノードは、中継ノードとドナー局との間のバックホールリンクの経路損失を測定し、経路損失をドナー局に送信する。
【００５５】
具体的には、中継ノードは、ある設定電力で上り信号をドナー局に送信し、ドナー局で受信電力強度を測定して中継ノードにフィードバックし、中継ノードは、既知の設定送信電力とドナー局の実際の受信電力（通常は差分を求める演算）とに基づいて、経路損失を算出する。
【００５６】
選択可能に、経路損失は、ドナー局によって測定して得られる。
【００５７】
具体的には、中継ノードがある設定電力で上り信号をドナー局に送信し、ドナー局で受信電力強度を測定し、ドナー局は、既知の設定送信電力とドナー局の実際の受信電力とに基づいて、経路損失を算出する。
【００５８】
ｂ、第１電力調整指令をドナー局に送信する。ここで、第１電力調整指令は、第１受信電力と目標受信電力値との差が所定電力閾値より小さくなるように、第１送信電力の増加又は減少をドナー局に指示するためのものである。
【００５９】
選択可能に、第１電力調整指令は、ＬＴＥ又はＮＲにおける伝送電力制御ＴＰＣ（Ｔｒａｎｓｍｉｓｓｉｏｎ  Ｐｏｗｅｒ  Ｃｏｎｔｒｏｌ）と同様である。ドナー局は、第１電力調整指令を受信すると、対応的に送信電力の増減操作を行う。
【００６０】
本開示の実施例において、第２送信電力を調整する際に、以下の方式が採用される。
即ち、第２電力調整指令を端末機器に送信する。ここで、第２電力調整指令は、第２受信電力と目標受信電力値との差が所定電力閾値より小さくなるように第２送信電力を増加又は減少を端末機器に指示するためのものである。
【００６１】
選択可能に、中継ノードは、適切な開ループ電力制御パラメータ（例えば、Ｐ０、ａｌｐｈａなど）を設定し、及び／又は閉ループ電力制御コマンドＴＰＣなどを端末機器に送信することによって、端末機器の第２送信電力を調整する。
【００６２】
以上の実施例から明らかなように、本実施例によれば、中継ノードは、ドナー局のｂａｃｋｈａｕｌ  ＤＬ信号が中継ノードに到達するときの信号電力と、端末機器のａｃｃｅｓｓ  ＵＬ信号が中継ノードに到達するときの信号電力との差が中継ノードの許容範囲内となるように、ドナー局のｂａｃｋｈａｕｌ  ＤＬ信号の送信電力及び／又は端末機器のａｃｃｅｓｓ  ＵＬ信号の送信電力を目標受信電力値に基づいて制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００６３】
図５は、本開示のもう１つの実施例に係る無線通信方法のフローチャートである。該方法は、ドナー局に応用される。図５に示すように、該方法は、以下のステップ５０１とステップ５０２を含む。
ステップ５０１において、ドナー局の中継ノードから送信する目標受信電力値及び／又は第１電力調整指令を受信する。
ステップ５０２において、目標受信電力値及び／又は第１電力調整指令に基づいて第１送信電力を調整する。
【００６４】
本開示の実施例において、第１送信電力は、ドナー局から中継ノードに送信するｂａｃｋｈａｕｌ  ＤＬ信号の送信電力であり、目標受信電力値は、ドナー局が第１送信電力を決定するためのものであり、第１送信電力は、目標受信電力値及び中継ノードとドナー局との間のバックホールリンクの経路損失によって決定され、第１電力調整指令は、第１受信電力と目標受信電力値との差が所定電力閾値よりも小さくなるように、第１送信電力の増加又は減少を前記ドナー局に指示するためのものであり、第１受信電力は、ドナー局の前記ｂａｃｋｈａｕｌ  ＤＬ信号が中継ノードに到達するときの受信電力である。
【００６５】
本開示の実施例において、経路損失は、中継ノードによって測定され、中継ノードによってドナー局に送信される。又は、経路損失は、ドナー局によって測定されてもよく、具体的な測定方法は、図４に示される実施例の内容と同様であるので、ここでは詳しい説明を省略する。
【００６６】
以上の実施例から明らかなように、本実施例によれば、ドナー局は、ドナー局のｂａｃｋｈａｕｌ  ＤＬ信号が中継ノードに到達するときの信号電力と、端末機器のａｃｃｅｓｓ  ＵＬ信号が中継ノードに到達するときの信号電力との差が中継ノードの許容範囲内となるように、中継ノードの電力制御メカニズムと連携して該ドナー局のｂａｃｋｈａｕｌ  ＤＬ信号の送信電力を調整することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００６７】
上記の技術的課題２を解決するために、本開示の実施例は、無線通信方法を提供する。図６に示すように、本開示のもう１つの実施例に係る無線通信方法のフローチャートである。該方法は、中継ノードに応用され、以下のステップ６０１とステップ６０２を含む。
ステップ６０１において、基準時間を決定する。
ここで、基準時間は、絶対時間であってもよく、相対時間であってもよい。
ステップ６０２において、基準時間に基づいて、第１受信時間と第２受信時間との差が所定時間差よりも小さくなるように、第１送信時間及び／又は第２送信時間を制御する。
【００６８】
本開示の実施例において、１送信時間は、中継ノードのドナー局から中継ノードに送信するｂａｃｋｈａｕｌ  ＤＬ信号の送信時間であり、第２送信時間は、端末機器から中継ノードに送信するａｃｃｅｓｓ  ＵＬ信号の送信時間であり、第１受信時間は、ドナー局のｂａｃｋｈａｕｌ  ＤＬ信号が中継ノードに到達するときの時間であり、第２受信時間は、端末機器のａｃｃｅｓｓ  ＵＬ信号が中継ノードに到達するときの時間である。
【００６９】
本開示の実施例において、所定時間差は、中継ノードが許容することができる２つの信号の到達時間間隔の最大値である。
【００７０】
本開示の実施例において、中継ノードは、第１受信時間を参照して基準時間を決定し、又は、第２受信時間を参照して基準時間を決定し、又は、第１受信時間及び第２受信時間を参照せずに基準時間を決定する。
【００７１】
選択可能に、１つの実施例において、中継ノードは、基準時間を決定する際に第１受信時間及び第２受信時間を参照しない。即ち、基準時間は、中継ノード自身によって設定される。この場合、上記ステップ６０１は、具体的には、中継ノードのフレームタイミングを基準時間に決定するステップを含む。この場合、中継ノードは、基準時間に基づいて、第１受信時間と第２受信時間との差が中継ノードの許容範囲内となるように第１送信時間と第２送信時間の両方を調整する。この場合、上記ステップ６０２は、具体的には、下記ステップ６０２１とステップ６０２２の少なくとも１つを含む。
ステップ６０２１において、第１受信時間と基準時間との差が第１所定時間差よりも小さくなるように第１送信時間を制御する。
ステップ６０２２において、第２受信時間と基準時間との差が第２所定時間差よりも小さくなるように第２送信時間を制御する。
【００７２】
本開示の実施例において、所定時間差、第１所定時間差及び第２所定時間差の３者は、異なる。ここで、所定時間差とは、中継ノードの２つの信号の到達時間差に対する許容度を指す。中継ノードは、第１送信時間と第２送信時間を制御する場合、第１所定時間差と第２所定時間差を設定することによって、第１受信時間と第２受信時間との差を所定時間差よりも小さくする。
【００７３】
このように、中継ノードは、まず基準時間を設定し、ｂａｃｋｈａｕｌ  ＤＬ信号が中継ノードに到達するときの時間とａｃｃｅｓｓ  ＵＬ信号が中継ノードに到達するときの時間との差が中継ノードの許容範囲内となるように、ドナー局のｂａｃｋｈａｕｌ  ＤＬ信号の送信時間と端末機器のａｃｃｅｓｓ  ＵＬ信号の送信時間とを制御する。
【００７４】
選択可能に、１つの実施形態において、中継ノードは、基準時間を決定する際に第１受信時間を参照する。即ち、基準時間は、中継ノードによって第１受信時間に基づいて設定される。この場合、中継ノードは、第１受信時間を取得した後、第１受信時間を基準時間に決定し、第１受信時間に基づいて、第１受信時間と第２受信時間との差が中継ノードの許容範囲内になるように第２送信時間のみを調整する。
この場合、上記ステップ６０２は、具体的には、第２の受信時間と基準時間との差が所定時間差よりも小さくなるように第２送信時間を制御するステップを含む。
【００７５】
選択可能に、中継ノードは、ドナー局のｂａｃｋｈａｕｌ  ＤＬ信号が中継ノードに到達するときの時間を測定して第１受信時間を得る。
【００７６】
このように、中継ノードは、ドナー局のｂａｃｋｈａｕｌ  ＤＬ信号が中継ノードに到達したときの時間を基準時間に設定しておき、ｂａｃｋｈａｕｌ  ＤＬ信号が中継ノードに到達したときの時間とａｃｃｅｓｓ  ＵＬ信号が中継ノードに到達したときの時間との差が中継ノードの許容範囲内となるように、端末機器のａｃｃｅｓｓ  ＵＬ信号の送信時間のみを制御することが分かる。
【００７７】
選択可能に、もう１つの実施形態において、中継ノードは、基準時間を決定する際に第２受信時間を参照する。即ち、基準時間は、中継ノードによって第２受信時間に基づいて設定される。この場合、中継ノードは、第２受信時間を基準時間に決定し、第２受信時間に基づいて、第１受信時間と第２受信時間との差が中継ノードの許容範囲内となるように第１送信時間のみを調整する。
この場合、上記ステップ６０２は、具体的には、第１受信時間と基準時間との差が所定時間差よりも小さくなるように第１送信時間を制御するステップを含む。
【００７８】
このように、中継ノードは、端末機器のａｃｃｅｓｓ  ＵＬ信号が中継ノードに到達するときの時間を基準時間に設定しておき、ｂａｃｋｈａｕｌ  ＤＬ信号が中継ノードに到達するときの時間とａｃｃｅｓｓ  ＵＬ信号が中継ノードに到達するときの時間との差が中継ノードの許容範囲内となるように、ドナー局のｂａｃｋｈａｕｌ  ＤＬ信号の送信時間のみを制御することが分かる。
【００７９】
本開示の実施例において、第１送信時間を制御する際に、以下の方式を用いることができる。
ドナー局のｂａｃｋｈａｕｌ  ＤＬ信号が中継ノードに到達する時間を決定し、ドナー局のｂａｃｋｈａｕｌ  ＤＬ信号が中継ノードに到達するときの時間と基準時間とを比較して比較結果を得て、比較結果に基づいて第１時間調整指令を生成し、第１時間調整指令をドナー局に送信し、一定の時間単位（例えば、１６Ｔｓ）でｂａｃｋｈａｕｌ  ＤＬ信号送信の前倒し又は後ろ倒しをドナー局に通知する。ここで、第１時間調整指令は、第１受信時間と基準時間との差が所定時間差よりも小さくなるように、第１送信時間の前倒し又は後ろ倒しをドナー局に指示するためのものである。
【００８０】
本開示の実施例において、第２送信時間を調整する際に、以下の方式を用いることができる。
第２時間調整指令を端末機器に送信する。ここで、第２時間調整指令は、第２受信時間と基準時間との差が所定時間差よりも小さくなるように、第２送信時間の前倒し又は後ろ倒しを端末機器に指示するためのものである。
【００８１】
選択可能に、中継ノードは、ランダムアクセスプロセス中に端末機器に第２時間調整指令を送信することによって、端末機器の上り送信時間を調整する。
【００８２】
選択可能に、中継ノードは、ループタイミング調整コマンドＴＡＣ（Ｔｉｍｉｎｇ  Ａｄｊｕｓｔｍｅｎｔ  Ｃｏｍｍａｎｄ）を送信することによって、端末機器の上り送信時間を調整する。
【００８３】
以上の実施例から明らかなように、本実施例によれば、中継ノードは、同じスロット又は同じ時間間隔内でドナー局のｂａｃｋｈａｕｌ  ＤＬ信号が中継ノードに到達するときの時間と、端末機器のａｃｃｅｓｓ  ＵＬ信号が中継ノードに到達するときの時間との差が中継ノードの許容範囲内になるように、ドナー局のｂａｃｋｈａｕｌ  ＤＬ信号の送信時間及び／又は端末機器のａｃｃｅｓｓ  ＵＬ信号の送信時間を基準時間に基づいて制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００８４】
図７は、本開示のもう１つの実施例に係る無線通信方法のフローチャートである。該方法は、ドナー局に応用される。図７に示すように、該方法は、以下のステップ７０１とステップ７０２を含む。
ステップ７０１において、ドナー局の中継ノードから送信する第１時間調整指令を受信する。
ステップ７０２において、第１時間調整指令に基づいて第１送信時間を調整する。
【００８５】
本開示の実施例において、第１送信時間は、ドナー局から中継ノードに送信するｂａｃｋｈａｕｌ  ＤＬ信号の送信時間であり、第１時間調整指令は、第１受信時間と中継ノードによって決定される基準時間との差が所定時間差よりも小さくなるように、第１送信時間の前倒し又は後ろ倒しをドナー局に指示するためのものであり、第１受信時間は、ドナー局のｂａｃｋｈａｕｌ  ＤＬ信号が中継ノードに到達するときの時間である。ここで、具体的な調整手順は、図６に示す実施例の内容と同じであるので、ここではその詳細な説明を省略する。
【００８６】
以上の実施例から明らかなように、本実施例によれば、ドナー局は、同じスロット又は同じ時間間隔内でドナー局のｂａｃｋｈａｕｌ  ＤＬ信号が中継ノードに到達するときの時間と、端末機器のａｃｃｅｓｓ  ＵＬ信号が中継ノードに到達するときの時間との差が中継ノードの許容範囲内になるように、中継ノードの送信時間制御メカニズムと提携して該ドナー局のｂａｃｋｈａｕｌ  ＤＬ信号の送信時間を制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００８７】
図８は、本開示の１つの実施例に係る無線通信装置の構造図である。図８に示すように、無線通信装置８００は、中継ノードに応用される。該無線通信装置８００は、第１決定ユニット８０１と第１制御ユニット８０２を含む。
第１決定ユニット８０１は、目標受信電力値を決定する。
第１制御ユニット８０２は、前記目標受信電力値に基づいて、第１受信電力と第２受信電力との差が所定電力閾値よりも小さくなるように、第１送信電力及び／又は第２送信電力を制御する。
ここで、前記第１送信電力は、前記中継ノードのドナー局から前記中継ノードに送信するｂａｃｋｈａｕｌ  ＤＬ信号の送信電力であり、
前記第２送信電力は、端末機器から前記中継ノードに送信するａｃｃｅｓｓ  ＵＬ信号の送信電力であり、
前記第１受信電力は、前記ドナー局の前記ｂａｃｋｈａｕｌ  ＤＬ信号が前記中継ノードに到達するときの受信電力であり、
前記第２受信電力は、前記端末機器の前記ａｃｃｅｓｓ  ＵＬ信号が前記中継ノードに到達するときの受信電力である。
【００８８】
以上の実施例から明らかなように、本実施例によれば、中継ノードは、ドナー局のｂａｃｋｈａｕｌ  ＤＬ信号が中継ノードに到達するときの信号電力と、端末機器のａｃｃｅｓｓ  ＵＬ信号が中継ノードに到達するときの信号電力との差が中継ノードの許容範囲内となるように、ドナー局のｂａｃｋｈａｕｌ  ＤＬ信号の送信電力及び／又は端末機器のａｃｃｅｓｓ  ＵＬ信号の送信電力を目標受信電力値に基づいて制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【００８９】
選択可能に、１つの実施例において、前記第１制御ユニット８０２は、
第１受信電力と前記目標受信電力値との差が第１所定電力閾値よりも小さくなるように、第１送信電力を制御する第１電力制御サブユニット、
第２受信電力と前記目標受信電力値との差が第２所定電力閾値よりも小さくなるように、第２送信電力を制御する第２電力制御サブユニット、
の少なくとも１つを含む。
【００９０】
選択可能に、１つの実施例において、前記第１決定ユニット８０１は、前記第１受信電力を目標受信電力値に決定する第１電力値決定サブユニットを含む。
前記第１制御ユニット８０２は、第２受信電力と前記目標受信電力値との差が所定電力閾値よりも小さくなるように、第２送信電力を制御する第３電力制御サブユニットを含む。
【００９１】
選択可能に、１つの実施例において、前記第１決定ユニット８０１は、前記第２受信電力を目標受信電力値に決定する第２電力値決定サブユニットを含む。
前記第１制御ユニット８０２は、第１受信電力と前記目標受信電力値との差が所定電力閾値よりも小さくなるように、第１送信電力を制御する第４電力制御サブユニットを含む。
【００９２】
選択可能に、１つの実施例において、前記第１制御ユニット８０２は、前記目標受信電力値を前記ドナー局に送信する第１送信サブユニットを含む。
ここで、前記目標受信電力値は、前記ドナー局が前記第１送信電力を決定するためのものであり、前記第１送信電力は、前記目標受信電力値及び前記中継ノードとドナー局との間のバックホールリンクの経路損失によって決定される。
【００９３】
選択可能に、１つの実施例において、前記無線通信装置８００は、前記中継ノードとドナー局との間のバックホールリンクの経路損失を測定する第１測定ユニットと、前記経路損失を前記ドナー局に送信する第１送信ユニットとを更に含む。
【００９４】
選択可能に、１つの実施例において、前記経路損失は、前記ドナー局によって測定して得られる。
【００９５】
選択可能に、１つの実施例において、前記第１制御ユニット８０２は、第１電力調整指令を前記ドナー局に送信する第２送信サブユニットを含む。
ここで、前記第１電力調整指令は、第１受信電力と前記目標受信電力値との差が所定電力閾値よりも小さくなるように、前記第１送信電力の増加又は減少を前記ドナー局に指示するためのものである。
【００９６】
選択可能に、１つの実施例において、前記第１制御ユニット８０２は、第２電力調整指令を前記端末機器に送信する第３送信サブユニットを含む。
ここで、前記第２電力調整指令は、第２受信電力と前記目標受信電力値との差が所定電力閾値よりも小さくなるように、前記第２送信電力の増加又は減少を前記端末機器に指示するためのものである。
【００９７】
選択可能に、１つの実施例において、前記無線通信装置８００は、
前記ドナー局のｂａｃｋｈａｕｌ  ＤＬ信号が前記中継ノードに到達するときの受信電力を測定して前記第１受信電力を得る第２測定ユニット、
及び／又は、
前記第１受信電力を決定するための関連情報が搬送されているシグナリングを前記ドナー局から受信し、前記シグナリングに基づいて前記第１受信電力を決定する第１受信ユニットを更に含む。
【００９８】
選択可能に、１つの実施例において、前記シグナリングは、無線リソース制御ＲＲＣシグナリング、メディアアクセス制御ＭＡＣシグナリング及び物理レイヤシグナリングの少なくとも１つを含む。
【００９９】
図９は、本開示のもう１つの実施例に係る無線通信装置の構造図である。図９に示すように、無線通信装置９００は、ドナー局に応用される。該無線通信装置９００は、第２受信ユニット９０１と第１調整ユニット９０２を含む。
第２受信ユニット９０１は、前記ドナー局の中継ノードから送信する目標受信電力値及び／又は第１電力調整指令を受信する。
第１調整ユニット９０２は、前記目標受信電力値及び／又は前記第１電力調整指令に基づいて第１送信電力を調整する。
ここで、前記第１送信電力は、前記ドナー局から前記中継ノードに送信するｂａｃｋｈａｕｌ  ＤＬ信号の送信電力であり、
前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、
前記第１電力調整指令は、第１受信電力と前記目標受信電力値との差が所定電力閾値よりも小さくなるように、前記第１送信電力の増加又は減少を前記ドナー局に指示するためのものであり、
前記第１受信電力は、前記ドナー局のｂａｃｋｈａｕｌ  ＤＬ信号が前記中継ノードに到達するときの受信電力である。
【０１００】
以上の実施例から明らかなように、本実施例によれば、ドナー局は、ドナー局のｂａｃｋｈａｕｌ  ＤＬ信号が中継ノードに到達するときの信号電力と、端末機器のａｃｃｅｓｓ  ＵＬ信号が中継ノードに到達するときの信号電力との差が中継ノードの許容範囲内となるように、中継ノードの電力制御メカニズムと連携して該ドナー局のｂａｃｋｈａｕｌ  ＤＬ信号の送信電力を調整することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【０１０１】
図１０は、本開示のもう１つの実施例に係る無線通信装置の構造図である。図１０に示すように、無線通信装置１０００は、中継ノードに応用される。該無線通信装置１０００は、第２決定ユニット１００１と第２制御ユニット１００２を含む。
第２決定ユニット１００１は、基準時間を決定する。
第２制御ユニット１００２は、前記基準時間に基づいて、第１受信時間と第２受信時間との差が所定時間差よりも小さくなるように、第１送信時間及び／又は第２送信時間を制御する。
ここで、前記第１送信時間は、前記中継ノードのドナー局から前記中継ノードに送信するｂａｃｋｈａｕｌ  ＤＬ信号の送信時間であり、
前記第２送信時間は、端末機器から前記中継ノードに送信するａｃｃｅｓｓ  ＵＬ信号の送信時間であり、
前記第１受信時間は、前記ドナー局のｂａｃｋｈａｕｌ  ＤＬ信号が前記中継ノードに到達するときの時間であり、
前記第２受信時間は、前記端末機器のａｃｃｅｓｓ  ＵＬ信号が前記中継ノードに到達するときの時間である。
【０１０２】
以上の実施例から明らかなように、本実施例によれば、中継ノードは、同じスロット又は同じ時間間隔内でドナー局のｂａｃｋｈａｕｌ  ＤＬ信号が中継ノードに到達するときの時間と、端末機器のａｃｃｅｓｓ  ＵＬ信号が中継ノードに到達するときの時間との差が中継ノードの許容範囲内になるように、ドナー局のｂａｃｋｈａｕｌ  ＤＬ信号の送信時間及び／又は端末機器のａｃｃｅｓｓ  ＵＬ信号の送信時間を基準時間に基づいて制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【０１０３】
選択可能に、１つの実施例において、前記第２決定ユニット１００１は、前記中継ノードのフレームタイミングを基準時間に決定する第１時間決定サブユニットを含む。
【０１０４】
選択可能に、１つの実施例において、前記第２制御ユニット１００２は、
第１受信時間と前記基準時間との差が第１所定時間差よりも小さくなるように第１送信時間を制御する第１時間制御サブユニット、
第２受信時間と前記基準時間との差が第２所定時間差よりも小さくなるように第２送信時間を制御する第２時間制御サブユニット、
の少なくとも１つを含む。
【０１０５】
選択可能に、１つの実施例において、前記第２決定ユニット１００１は、前記第１受信時間を基準時間に決定する第２時間決定サブユニットを含む。
前記第２制御ユニット１００２は、第２受信時間と前記基準時間との差が所定時間差よりも小さくなるように第２送信時間を制御する第３時間制御サブユニットを含む。
【０１０６】
選択可能に、１つの実施例において、前記第２決定ユニット１００１は、前記第２受信時間を基準時間に決定する第３時間決定サブユニットを含む。
前記第２制御ユニット１００２は、第１受信時間と前記基準時間との差が所定時間差よりも小さくなるように第１送信時間を制御する第４時間制御サブユニットを含む。
【０１０７】
選択可能に、１つの実施例において、前記第２制御ユニット１００２は、
前記ドナー局のｂａｃｋｈａｕｌ  ＤＬ信号が前記中継ノードに到達するときの時間を決定する第４時間決定サブユニットと、
前記ドナー局のｂａｃｋｈａｕｌ  ＤＬ信号が前記中継ノードに到達するときの時間と前記基準時間とを比較して比較結果を得る時間比較サブユニットと、
第１受信時間と前記基準時間との差が所定時間差よりも小さくなるように前記第１送信時間の前倒し又は後ろ倒しを前記ドナー局に指示するための第１時間調整指令を前記比較結果に基づいて生成する指令生成ユニットと、
前記第１時間調整指令を前記ドナー局に送信する第４送信サブユニットとを含む。
【０１０８】
選択可能に、１つの実施例において、前記第２制御ユニット１００２は、第２時間調整指令を前記端末機器に送信する第５送信サブユニットを含む。
ここで、前記第２時間調整指令は、第２受信時間と前記基準時間との差が所定時間差よりも小さくなるように前記第２送信時間の前倒し又は後ろ倒しを前記端末機器に指示するためのものである。
【０１０９】
選択可能に、１つの実施例において、前記無線通信装置１０００は、前記ドナー局のｂａｃｋｈａｕｌ  ＤＬ信号が前記中継ノードに到達するときの時間を測定して前記第１受信時間を得る第３測定ユニットを更に含む。
【０１１０】
図１１は、本開示のもう１つの実施例に係る無線通信装置の構造図である。図１１に示すように、無線通信装置１１００は、ドナー局に応用される。該無線通信装置１１００は、第３受信ユニット１１０１と第２調整ユニット１１０２を含む。
第３受信ユニット１１０１は、前記ドナー局の中継ノードから送信する第１時間調整指令を受信する。
第２調整ユニット１１０２は、前記第１時間調整指令に基づいて第１送信時間を調整する。
ここで、前記第１送信時間は、前記ドナー局から前記中継ノードに送信するｂａｃｋｈａｕｌ  ＤＬ信号の送信時間であり、
前記第１時間調整指令は、第１受信時間と前記中継ノードによって決定される基準時間との差が所定時間差よりも小さくなるように、前記第１送信時間の前倒し又は後ろ倒しを前記ドナー局に指示するためのものであり、
前記第１受信時間は、前記ドナー局のｂａｃｋｈａｕｌ  ＤＬ信号が前記中継ノードに到達するときの時間である。
【０１１１】
以上の実施例から明らかなように、本実施例によれば、ドナー局は、同じスロット又は同じ時間間隔内でドナー局のｂａｃｋｈａｕｌ  ＤＬ信号が中継ノードに到達するときの時間と、端末機器のａｃｃｅｓｓ  ＵＬ信号が中継ノードに到達するときの時間との差が中継ノードの許容範囲内になるように、中継ノードの送信時間制御メカニズムと提携して該ドナー局のｂａｃｋｈａｕｌ  ＤＬ信号の送信時間を制御することができる。これにより、中継システムにおけるバックホールリンクとアクセスリンクとを同時に動作させることが保証され、バックホールリンクとアクセスリンクとをＦＤＭ又はＳＤＭ方式で効率的に多重化することができ、中継ノードの半二重動作モードを維持したまま、通信遅延の低減、システムの通信効率の向上を達成することができる。また、中継ノードの能力に対する要求も高くなく、中継ノードが依然として半二重モードで信号の送受信を行うので、機器のコストが増大することもない。
【０１１２】
図１２は、本開示の１つの実施例に係るネットワーク機器の構造図である。図１２に示すネットワーク機器は、図４〜７のいずれか１つの方法実施例における無線通信方法を具現化でき、同じ効果を奏することもできる。図１２に示すように、ネットワーク機器１２００は、プロセッサ１２０１と、トランシーバ１２０２と、メモリ１２０３と、ユーザインタフェース１２０４と、バスインタフェースを含む。
ここで、本開示の実施例において、ネットワーク機器１２００は、メモリ１２０３に格納されてプロセッサ１２０１で動作可能なプログラムを更に含む。ネットワーク機器１２００が中継ノードである場合、プログラムがプロセッサ１２０１によって実行されると、
目標受信電力値を決定するステップと、前記目標受信電力値に基づいて、第１受信電力と第２受信電力との差が所定電力閾値よりも小さくなるように、第１送信電力及び／又は第２送信電力を制御するステップとが実現される。ここで、前記第１送信電力は、前記中継ノードのドナー局から前記中継ノードに送信するバックホールダウンリンクｂａｃｋｈａｕｌ  ＤＬ信号の送信電力であり、前記第２送信電力は、端末機器から前記中継ノードに送信するアクセスアップリンクａｃｃｅｓｓ  ＵＬ信号の送信電力であり、前記第１受信電力は、前記ドナー局の前記ｂａｃｋｈａｕｌ  ＤＬ信号が前記中継ノードに到達するときの受信電力であり、前記第２受信電力は、前記端末機器の前記ａｃｃｅｓｓ  ＵＬ信号が前記中継ノードに到達するときの受信電力である。
又は、基準時間を決定するステップと、前記基準時間に基づいて、第１受信時間と第２受信時間との差が所定時間差よりも小さくなるように、第１送信時間及び／又は第２送信時間を制御するステップとが実現される。ここで、前記第１送信時間は、前記中継ノードのドナー局から前記中継ノードに送信するｂａｃｋｈａｕｌ  ＤＬ信号の送信時間であり、前記第２送信時間は、端末機器から前記中継ノードに送信するａｃｃｅｓｓ  ＵＬ信号の送信時間であり、前記第１受信時間は、前記ドナー局のｂａｃｋｈａｕｌ  ＤＬ信号が前記中継ノードに到達するときの時間であり、前記第２受信時間は、前記端末機器のａｃｃｅｓｓ  ＵＬ信号が前記中継ノードに到達するときの時間である。
【０１１３】
ネットワーク機器１２００がドナー局である場合、プログラムがプロセッサ１２０１によって実行されると、
前記ドナー局の中継ノードから送信する目標受信電力値及び／又は第１電力調整指令を受信するステップと、前記目標受信電力値及び／又は前記第１電力調整指令に基づいて第１送信電力を調整するステップとが実現される。ここで、前記第１送信電力は、前記ドナー局から前記中継ノードに送信するｂａｃｋｈａｕｌ  ＤＬ信号の送信電力であり、前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記第１電力調整指令は、第１受信電力と前記目標受信電力値との差が所定電力閾値よりも小さくなるように、前記第１送信電力の増加又は減少を前記ドナー局に指示するためのものであり、前記第１受信電力は、前記ドナー局のｂａｃｋｈａｕｌ  ＤＬ信号が前記中継ノードに到達するときの受信電力である。
又は、前記ドナー局の中継ノードから送信する第１時間調整指令を受信するステップと、前記第１時間調整指令に基づいて第１送信時間を調整するステップとが実現される。ここで、前記第１送信時間は、前記ドナー局から前記中継ノードに送信するｂａｃｋｈａｕｌ  ＤＬ信号の送信時間であり、前記第１時間調整指令は、第１受信時間と前記中継ノードによって決定される基準時間との差が所定時間差よりも小さくなるように、前記第１送信時間の前倒し又は後ろ倒しを前記ドナー局に指示するためのものであり、前記第１受信時間は、前記ドナー局のｂａｃｋｈａｕｌ  ＤＬ信号が前記中継ノードに到達するときの時間である。
【０１１４】
図１２において、バスアーキテクチャは、任意数の相互接続するバスとブリッジを含み、具体的に、プロセッサ１２０１をはじめとする１つ又は複数のプロセッサとメモリ１２０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１２０２は、複数の部品であってもよく、即ち送信機と受信機を含み、伝送媒体でほかの各種類の装置と通信するユニットとして提供される。ユーザ端末によっては、ユーザインタフェース１２０４は、内部接続や外部接続する機器のインタフェースであってもよい。接続する機器は、キーパッド、ディスプレイ、スピーカ、マイクロフォン、ジョイスティックなどを含むが、それらに限られない。
【０１１５】
プロセッサ１２０１は、バスアーキテクチャと通常の処理を管理する。メモリ１２０３は、プロセッサ１２０１による操作実行に使用されるデータを記憶できる。
【０１１６】
本開示の実施例は、コンピュータプログラムが記憶されているコンピュータ読み取り可能な記憶媒体を更に提供し、当該コンピュータプログラムがプロセッサによって実行されると、上記無線通信方法の実施例の各プロセスが実現され、かつ同じ技術効果を奏することもできるため、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１１７】
本開示の実施例は、指令を含むコンピュータプログラムプロダクトを更に提供する。コンピュータが前記コンピュータプログラムプロダクトの前記指令を実行すると、前記コンピュータは、上記無線通信方法を実行する。具体的には、該コンピュータプログラムプロダクトは、上記ネットワーク機器で動作可能である。
【０１１８】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１１９】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【０１２０】
本願で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各構成部分の相互間の結合や直接結合や通信接続は、インタフェース、装置又はユニットを介した間接結合や通信接続であってもよく、電気的、機械的、又は他の形式であってもよい。
【０１２１】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１２２】
また、本開示の各実施例における各機能的ユニットは、１つの処理ユニットに一体化されていてもよいし、物理的に別々に設けられていてもよいし、２つ以上が一体化されてもよい。
【０１２３】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０１２４】
以上の記載は、本願の具体的な実施形態であるが、本願の保護範囲は、これらに限定されない。当業者が本願によって開示されている技術範囲内で容易に想到できる変化や置換は、すべて本願の保護範囲内に含まれる。よって、本願の保護範囲は、特許請求の範囲の保護範囲を基準とするべきである。
【符号の説明】
【０１２５】
１０１  ドナー局
１０２  中継ノード
１０３  端末機器
８００  無線通信装置
８０１  第１決定ユニット
８０２  第１制御ユニット
９００  無線通信装置
９０１  第２受信ユニット
９０２  第１調整ユニット
１０００  無線通信装置
１００１  第２決定ユニット
１００２  制御ユニット
１１００  無線通信装置
１１０１  第３受信ユニット
１１０２  第２調整ユニット
１２００  ネットワーク機器
１２０１  プロセッサ
１２０２  トランシーバ
１２０３  メモリ
１２０４  ユーザインタフェース
【図１】
2021521733.tif 000003
【図２】
2021521733.tif 000004
【図３】
2021521733.tif 000005
【図４】
2021521733.tif 000006
【図５】
2021521733.tif 000007
【図６】
2021521733.tif 000008
【図７】
2021521733.tif 000009
【図８】
2021521733.tif 000010
【図９】
2021521733.tif 000011
【図１０】
2021521733.tif 000012
【図１１】
2021521733.tif 000013
【図１２】
2021521733.tif 000014
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
中継ノードに応用される無線通信方法であって、
目標受信電力値を決定することと、
前記目標受信電力値に基づいて、第１受信電力と第２受信電力との差が所定電力閾値よりも小さくなるように、第１送信電力及び／又は第２送信電力を制御することとを含み、
ここで、前記第１送信電力は、前記中継ノードのドナー局から前記中継ノードに送信するバックホールダウンリンクｂａｃｋｈａｕｌ  ＤＬ信号の送信電力であり、
前記第２送信電力は、端末機器から前記中継ノードに送信するアクセスアップリンクａｃｃｅｓｓ  ＵＬ信号の送信電力であり、
前記第１受信電力は、前記ドナー局の前記ｂａｃｋｈａｕｌ  ＤＬ信号が前記中継ノードに到達するときの受信電力であり、
前記第２受信電力は、前記端末機器の前記ａｃｃｅｓｓ  ＵＬ信号が前記中継ノードに到達するときの受信電力である、無線通信方法。
【請求項２】
前記の前記目標受信電力値に基づいて、第１受信電力と第２受信電力との差が所定電力閾値よりも小さくなるように、第１送信電力及び／又は第２送信電力を制御することは、
前記第１受信電力と前記目標受信電力値との差が第１所定電力閾値よりも小さくなるように、前記第１送信電力を制御することと、
前記第２受信電力と前記目標受信電力値との差が第２所定電力閾値よりも小さくなるように、前記第２送信電力を制御することと、
の少なくとも１つを含む、請求項１に記載の方法。
【請求項３】
前記の目標受信電力値を決定することは、
前記第１受信電力を目標受信電力値に決定することを含み、
前記の前記目標受信電力値に基づいて、第１受信電力と第２受信電力との差が所定電力閾値よりも小さくなるように、第１送信電力及び／又は第２送信電力を制御することは、
前記第２受信電力と前記目標受信電力値との差が所定電力閾値よりも小さくなるように、前記第２送信電力を制御することを含む、
又は、
前記の目標受信電力値を決定することは、
前記第２受信電力を目標受信電力値に決定することを含み、
前記の前記目標受信電力値に基づいて、第１受信電力と第２受信電力との差が所定電力閾値よりも小さくなるように、第１送信電力及び／又は第２送信電力を制御することは、
前記第１受信電力と前記目標受信電力値との差が所定電力閾値よりも小さくなるように、前記第１送信電力を制御することを含む、請求項１に記載の方法。
【請求項４】
前記の第１送信電力を制御することは、
前記目標受信電力値を前記ドナー局に送信することを含み、
ここで、前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記ｂａｃｋｈａｕｌ  ＤＬ信号は、前記バックホールリンク上で伝送される、
又は、
前記の第１送信電力を制御することは、
第１電力調整指令を前記ドナー局に送信することを含み、
ここで、前記第１電力調整指令は、第１受信電力と前記目標受信電力値との差が所定電力閾値よりも小さくなるように、前記第１送信電力の増加又は減少を前記ドナー局に指示するためのものである、請求項２又は３に記載の方法。
【請求項５】
前記の第２送信電力を制御することは、
第２電力調整指令を前記端末機器に送信することを含み、
ここで、前記第２電力調整指令は、第２受信電力と前記目標受信電力値との差が所定電力閾値よりも小さくなるように、前記第２送信電力の増加又は減少を前記端末機器に指示するためのものである、請求項２又は３に記載の方法。
【請求項６】
前記の前記第１受信電力を目標受信電力値に決定することの前には、
前記ドナー局の前記ｂａｃｋｈａｕｌ  ＤＬ信号が前記中継ノードに到達するときの受信電力を測定して前記第１受信電力を得ること、
及び／又は、
前記第１受信電力を決定するための関連情報が搬送されているシグナリングを前記ドナー局から受信し、前記シグナリングに基づいて前記第１受信電力を決定することを更に含む、請求項３に記載の方法。
【請求項７】
中継ノードに応用される無線通信方法であって、
基準時間を決定することと、
前記基準時間に基づいて、第１受信時間と第２受信時間との差が所定時間差よりも小さくなるように、第１送信時間及び／又は第２送信時間を制御することとを含み、
ここで、前記第１送信時間は、前記中継ノードのドナー局から前記中継ノードに送信するｂａｃｋｈａｕｌ  ＤＬ信号の送信時間であり、
前記第２送信時間は、端末機器から前記中継ノードに送信するａｃｃｅｓｓ  ＵＬ信号の送信時間であり、
前記第１受信時間は、前記ドナー局の前記ｂａｃｋｈａｕｌ  ＤＬ信号が前記中継ノードに到達するときの時間であり、
前記第２受信時間は、前記端末機器の前記ａｃｃｅｓｓ  ＵＬ信号が前記中継ノードに到達するときの時間である、無線通信方法。
【請求項８】
前記の基準時間を決定することは、
前記中継ノードのフレームタイミングを基準時間に決定することを含む、請求項７に記載の方法。
【請求項９】
前記の前記基準時間に基づいて、第１受信時間と第２受信時間との差が所定時間差よりも小さくなるように、第１送信時間及び／又は第２送信時間を制御することは、
前記第１受信時間と前記基準時間との差が第１所定時間差よりも小さくなるように前記第１送信時間を制御することと、
前記第２受信時間と前記基準時間との差が第２所定時間差よりも小さくなるように前記第２送信時間を制御することと、
の少なくとも１つを含む、請求項７に記載の方法。
【請求項１０】
前記の基準時間を決定することは、
前記第１受信時間を基準時間に決定することを含み、
前記の前記基準時間に基づいて、第１受信時間と第２受信時間との差が所定時間差よりも小さくなるように、第１送信時間及び／又は第２送信時間を制御することは、
前記第２受信時間と前記基準時間との差が所定時間差よりも小さくなるように前記第２送信時間を制御することを含む、
又は、
前記の基準時間を決定することは、
前記第２受信時間を基準時間に決定することを含み、
前記の前記基準時間に基づいて、第１受信時間と第２受信時間との差が所定時間差よりも小さくなるように、第１送信時間及び／又は第２送信時間を制御することは、
前記第１受信時間と前記基準時間との差が所定時間差よりも小さくなるように前記第１送信時間を制御することを含む、請求項７に記載の方法。
【請求項１１】
前記の第１送信時間を制御することは、
前記ドナー局のｂａｃｋｈａｕｌ  ＤＬ信号が前記中継ノードに到達するときの時間を決定することと、
前記ドナー局のｂａｃｋｈａｕｌ  ＤＬ信号が前記中継ノードに到達するときの時間と前記基準時間とを比較して比較結果を得ることと、
前記比較結果に基づいて、第１時間調整指令を生成することと、
前記第１時間調整指令を前記ドナー局に送信することとを含み、
ここで、前記第１時間調整指令は、第１受信時間と前記基準時間との差が所定時間差よりも小さくなるように、前記第１送信時間の前倒し又は後ろ倒しを前記ドナー局に指示するためのものである、
及び／又は、
前記の第２送信時間を制御することは、
第２時間調整指令を前記端末機器に送信することを含み、
ここで、前記第２時間調整指令は、第２受信時間と前記基準時間との差が所定時間差よりも小さくなるように、前記第２送信時間の前倒し又は後ろ倒しを前記端末機器に指示するためのものである、請求項９又は１０に記載の方法。
【請求項１２】
中継ノードに応用される無線通信装置であって、
目標受信電力値を決定する第１決定ユニットと、
前記目標受信電力値に基づいて、第１受信電力と第２受信電力との差が所定電力閾値よりも小さくなるように、第１送信電力及び／又は第２送信電力を制御する第１制御ユニットとを含み、
ここで、前記第１送信電力は、前記中継ノードのドナー局から前記中継ノードに送信するｂａｃｋｈａｕｌ  ＤＬ信号の送信電力であり、
前記第２送信電力は、端末機器から前記中継ノードに送信するａｃｃｅｓｓ  ＵＬ信号の送信電力であり、
前記第１受信電力は、前記ドナー局の前記ｂａｃｋｈａｕｌ  ＤＬ信号が前記中継ノードに到達するときの受信電力であり、
前記第２受信電力は、前記端末機器の前記ａｃｃｅｓｓ  ＵＬ信号が前記中継ノードに到達するときの受信電力である、無線通信装置。
【請求項１３】
ドナー局に応用される無線通信装置であって、
前記ドナー局の中継ノードから送信する目標受信電力値及び／又は第１電力調整指令を受信する第２受信ユニットと、
前記目標受信電力値及び／又は前記第１電力調整指令に基づいて第１送信電力を調整する第１調整ユニットとを含み、
ここで、前記第１送信電力は、前記ドナー局から前記中継ノードに送信するｂａｃｋｈａｕｌ  ＤＬ信号の送信電力であり、
前記目標受信電力値は、前記ドナー局が前記第１送信電力を決定するためのものであり、前記第１送信電力は、前記目標受信電力値及び前記中継ノードとドナー局との間のバックホールリンクの経路損失によって決定され、前記ｂａｃｋｈａｕｌ  ＤＬ信号は、前記バックホールリンク上で伝送され、
前記第１電力調整指令は、第１受信電力と前記目標受信電力値との差が所定電力閾値よりも小さくなるように、前記第１送信電力の増加又は減少を前記ドナー局に指示するためのものであり、
前記第１受信電力は、前記ドナー局の前記ｂａｃｋｈａｕｌ  ＤＬ信号が前記中継ノードに到達するときの受信電力である、無線通信装置。
【請求項１４】
中継ノードに応用される無線通信装置であって、
基準時間を決定する第２決定ユニットと、
前記基準時間に基づいて、第１受信時間と第２受信時間との差が所定時間差よりも小さくなるように、第１送信時間及び／又は第２送信時間を制御する第２制御ユニットとを含み、
ここで、前記第１送信時間は、前記中継ノードのドナー局から前記中継ノードに送信するｂａｃｋｈａｕｌ  ＤＬ信号の送信時間であり、
前記第２送信時間は、端末機器から前記中継ノードに送信するａｃｃｅｓｓ  ＵＬ信号の送信時間であり、
前記第１受信時間は、前記ドナー局の前記ｂａｃｋｈａｕｌ  ＤＬ信号が前記中継ノードに到達するときの時間であり、
前記第２受信時間は、前記端末機器の前記ａｃｃｅｓｓ  ＵＬ信号が前記中継ノードに到達するときの時間である、無線通信装置。
【請求項１５】
ドナー局に応用される無線通信装置であって、
前記ドナー局の中継ノードから送信する第１時間調整指令を受信する第３受信ユニットと、
前記第１時間調整指令に基づいて第１送信時間を調整する第２調整ユニットとを含み、
ここで、前記第１送信時間は、前記ドナー局から前記中継ノードに送信するｂａｃｋｈａｕｌ  ＤＬ信号の送信時間であり、
前記第１時間調整指令は、第１受信時間と前記中継ノードによって決定される基準時間との差が所定時間差よりも小さくなるように、前記第１送信時間の前倒し又は後ろ倒しを前記ドナー局に指示するためのものであり、
前記第１受信時間は、前記ドナー局の前記ｂａｃｋｈａｕｌ  ＤＬ信号が前記中継ノードに到達するときの時間である、無線通信装置。
【国際調査報告】
2021521733.tif 000015
2021521733.tif 000016
2021521733.tif 000017
2021521733.tif 000018
2021521733.tif 000019
2021521733.tif 000020